(57)【要約】【課題】  前の客が多量のカードを装置に投入して交換取引を行なった場合などにおいても、次の客を待たせることなく、速やかにカード状媒体の処理を行うことができるカード状媒体取扱装置を提供する。【解決手段】  カード状景品取扱装置１は、景品投入口３のカード状景品Ｐがすべて一次貯留部９へ搬送されてもまだ二次貯留部１１のカード状景品Ｐをスタッカ１５へ搬送し終わらない場合、二次貯留部１１からスタッカ１５へのカード状景品Ｐの搬送を一旦停止し、一次貯留部９から二次貯留部１１へカード状景品Ｐを移送し、一次貯留部９を空にして、二次貯留部１１からスタッカ１５へカード状景品Ｐを搬送するようにしたものである。【選択図】  図１
2006209299.tif 000002
【特許請求の範囲】
【請求項１】
複数のカード状媒体が投入可能な媒体投入口に投入されたカード状媒体を１枚ずつ一次貯留部へ搬送し、その後一次貯留部から二次貯留部へカード状媒体を移送し、さらに二次貯留部からカード状媒体を１枚ずつ収納部へ搬送して収納するカード状媒体取扱装置において、
前記二次貯留部から前記収納部へのカード状媒体の搬送速度を前記媒体投入口から前記一次貯留部へのカード状媒体の搬送速度以上としたことを特徴とするカード状媒体取扱装置。
【請求項２】
複数のカード状媒体が投入可能な媒体投入口に投入されたカード状媒体を１枚ずつ一次貯留部へ搬送し、その後一次貯留部から二次貯留部へカード状媒体を移送し、さらに二次貯留部からカード状媒体を１枚ずつ収納部へ搬送して収納するカード状媒体取扱装置において、
前記媒体投入口のカード状媒体がすべて前記一次貯留部へ搬送されてもまだ前記二次貯留部のカード状媒体を前記収納部へ搬送し終わらない場合、前記二次貯留部から前記収納部へのカード状媒体の搬送を一旦停止し、前記一次貯留部から前記二次貯留部へカード状媒体を移送し、その後前記二次貯留部から前記収納部へカード状媒体を搬送することを特徴とするカード状媒体取扱装置。
【請求項３】
前記媒体投入口のカード状媒体がすべて前記一次貯留部へ搬送された時点で、該一次貯留部に集積されたカード状媒体の枚数と前記時点で前記二次貯留部に集積されているカード状媒体の枚数との合計が、前記二次貯留部の集積限度枚数を超える場合は、前記二次貯留部から前記収納部へカード状媒体を搬送し、該一次貯留部に集積されたカード状媒体の枚数と前記二次貯留部に現在集積されているカード状媒体の枚数との合計が、前記二次貯留部の集積限度枚数以下になった後、前記二次貯留部から前記収納部へのカード状媒体の搬送を一旦停止し、前記一次貯留部から前記二次貯留部へカード状媒体を移送する請求項２記載のカード状媒体取扱装置。
【請求項４】
利用者の装置への接近を検出する接近検出手段を設け、
前記媒体投入口のカード状媒体がすべて前記一次貯留部へ搬送された時点で、該一次貯留部に集積されたカード状媒体の枚数と前記時点で前記二次貯留部に集積されているカード状媒体の枚数との合計が、前記二次貯留部の集積限度枚数を超える場合で、
前記接近検出手段が利用者の装置への接近を検出した場合、前記二次貯留部から前記収納部へカード状媒体を搬送し、該一次貯留部に集積されたカード状媒体の枚数と前記二次貯留部に現在集積されているカード状媒体の枚数との合計が、前記二次貯留部の集積限度枚数以下になった後、前記二次貯留部から前記収納部へのカード状媒体の搬送を一旦停止し、前記一次貯留部から前記二次貯留部へカード状媒体を移送し、
前記接近検出手段が利用者の装置への接近を検出しない場合、前記二次貯留部から前記収納部へカード状媒体をすべて搬送した後、前記一次貯留部から前記二次貯留部へカード状媒体を移送する請求項３記載のカード状媒体取扱装置。
【請求項５】
複数のカード状媒体が投入可能な媒体投入口に投入されたカード状媒体を１枚ずつ一次貯留部へ搬送し、その後一次貯留部から二次貯留部へカード状媒体を移送し、さらに二次貯留部からカード状媒体を１枚ずつ収納部へ搬送して収納するカード状媒体取扱装置において、
前記二次貯留部から前記収納部への搬送経路を２経路にしたことを特徴とするカード状媒体取扱装置。
【発明の詳細な説明】
【技術分野】
【０００１】
本発明は、複数のカード状媒体が投入され、投入者による確認を行った後、投入された複数のカード状媒体を収納するカード状媒体取扱装置に関する。
【背景技術】
【０００２】
従来より、カードを使用した取引は金融機関等の自動取引装置を始めとして広く行われている。自動取引装置においては、顧客がカードを装置に挿入することにより取引が開始される。カードには顧客の口座情報等が記録されており、カードが挿入されると、記録情報が読取られて取引が行われる。自動取引装置での取引の場合、装置に挿入されるカードは通常、１枚で、取引が終了すると、カードは顧客に返却される。しかしながら、カードが正規のものでない場合は顧客に返却されずに、装置内に取込まれる。そのため装置内には、取込み用のリジェクトボックスが具備されている。
【０００３】
他方、最近では、ＩＣカードに貴金属等の有価値物を実装したカードタイプの特殊景品（カード状景品）が遊技場等において使用されている。このようなカード状景品は、遊技場において賞球に応じて払い出されるもので、一定の価値を有するものとして扱われ、景品取扱所において景品交換機により現金に交換される。カード状景品は貴金属等の有価値物の価値に応じて数種類に分類され、各種類のカード状景品にはそれぞれ景品としての価値情報が記憶されている。景品交換機には、カード状景品の価値情報を読取る読取部が設けられており、カード状景品が挿入されると、価値情報を読取り、読取った価値情報に相当する現金を払い出すようになっている。このような景品交換機を示すものとして、例えば特開平６−７９０５２号公報に示すものが挙げられる。
【０００４】
景品交換機においては、カード状景品から読取った価値情報を表示し、利用者による確認を行ってから利用者に現金を払い出すとともに、投入されたカード状景品を装置内に収納するようにしている。このような景品交換機を示すものとして、例えば特開平８−３１８０４５号公報に開示されるものがある。利用者による確認が得られない場合は、一旦投入されたカード状景品を利用者に返却しなければならない。そのために利用者による確認が終了するまでカード状景品を一時的に返却可能に保持しておくための貯留部を設ける必要がある。利用者が表示された価値情報を確認した場合、貯留部に保持してあるカード状景品は装置内の収納部へ搬送されて収納される。収納部はカード状景品を価値情報の種類毎に収納する。利用者が確認ボタンを押下しない場合は、貯留部から利用者へカード状景品が返却される。
【特許文献１】特開平６−７９０５２号公報
【特許文献２】特開平８−３１８０４５号公報
【発明の開示】
【発明が解決しようとする課題】
【０００５】
しかしながら従来の景品交換機においては、複数のカード状景品が投入された場合、すべてのカード状景品が貯留部まで搬送された後、搬送途中で読取部により読取られた景品価値情報が利用者により確認される。そして利用者が価値情報を確認すると、現金が払い出されるとともに、貯留部からカード状景品が１枚ずつ収納部へ搬送される。利用者は払い出された現金を受け取り、景品交換機から離れると、次の利用者の取引を開始可能になる。しかしながら、貯留部に搬送されたカード状景品の枚数が多い場合は、１枚ずつ搬送されて価値情報の種類ごとに分けて収納するので、すべてのカードを収納部へ搬送するのに時間がかかる。したがって、この間、取引をしようとする次の利用者が装置の前で待たされるという問題があった。
【０００６】
このような問題は、装置内にもう１つ別の貯留部を設けることによりある程度解決される。即ち、上記貯留部（一次貯留部）に保持された複数のカード状景品を一括してこの別の貯留部（二次貯留部）に移送させることにより、一次貯留部を速やかに空にすることができ、次の取引を速やかに開始することが可能になる。二次貯留部に移送されたカード状景品は、次の取引を行っている時間を利用して収納部に収納される。
【０００７】
しかしながら、例えば前の取引でのカード状景品の枚数が多く、次の取引でのカード状景品の枚数が少ない場合などは、二次貯留部に保持されているカード状景品が全て収納し終わらないうちに、次の取引のカード状景品が全部一次貯留部に取込まれ、この場合は二次貯留部のカード状景品が全て収納されるのを待って次の処理に進むことになる。したがってこの場合も同様に次の取引が待たされることになるという問題があった。
【０００８】
そこで本発明は、前の利用者が多量のカード状景品を装置に投入して交換取引を行なった場合などにおいても、次の利用者を待たせることなく、速やかにカード状景品の処理を行うことができるカード状景品取扱装置を提供することを目的とする。
【課題を解決するための手段】
【０００９】
上記課題を解決するために本発明は、複数のカード状媒体が投入可能な媒体投入口に投入されたカード状媒体を１枚ずつ一次貯留部へ搬送し、その後一次貯留部から二次貯留部へカード状媒体を移送し、さらに二次貯留部からカード状媒体を１枚ずつ収納部へ搬送して収納するカード状媒体取扱装置において、二次貯留部から収納部へのカード状媒体の搬送速度を媒体投入口から一次貯留部へのカード状媒体の搬送速度以上としたことを特徴とする。
【００１０】
また本発明のカード状媒体取扱装置は、媒体投入口のカード状媒体がすべて一次貯留部へ搬送されてもまだ二次貯留部のカード状媒体を収納部へ搬送し終わらない場合、二次貯留部から収納部へのカード状媒体の搬送を一旦停止し、一次貯留部から二次貯留部へカード状媒体を移送し、その後二次貯留部から収納部へカード状媒体を搬送するようにしたものである。
【００１１】
また本発明のカード状媒体取扱装置は、媒体投入口のカード状媒体がすべて一次貯留部へ搬送された時点で、一次貯留部に集積されたカード状媒体の枚数と前記時点で二次貯留部に集積されているカード状媒体の枚数との合計が、二次貯留部の集積限度枚数を超える場合は、二次貯留部から収納部へカード状媒体を搬送し、一次貯留部に集積されたカード状媒体の枚数と二次貯留部に現在集積されているカード状媒体の枚数との合計が、二次貯留部の集積限度枚数以下になった後、二次貯留部から収納部へのカード状媒体の搬送を一旦停止し、一次貯留部から二次貯留部へカード状媒体を移送するようにしたものである。
【００１２】
さらに本発明のカード状媒体取扱装置は、利用者の装置への接近を検出する接近検出手段を設け、媒体投入口のカード状媒体がすべて一次貯留部へ搬送された時点で、一次貯留部に集積されたカード状媒体の枚数と前記時点で二次貯留部に集積されているカード状媒体の枚数との合計が、二次貯留部の集積限度枚数を超える場合で、接近検出手段が利用者の装置への接近を検出した場合、二次貯留部から収納部へカード状媒体を搬送し、一次貯留部に集積されたカード状媒体の枚数と二次貯留部に現在集積されているカード状媒体の枚数との合計が、二次貯留部の集積限度枚数以下になった後、二次貯留部から収納部へのカード状媒体の搬送を一旦停止し、一次貯留部から二次貯留部へカード状媒体を移送し、接近検出手段が利用者の装置への接近を検出しない場合、二次貯留部から収納部へカード状媒体をすべて搬送した後、一次貯留部から二次貯留部へカード状媒体を移送するようにしたものである。
【００１３】
さらに本発明のカード状媒体取扱装置は、二次貯留部から収納部への搬送経路を２経路にしたことを特徴とする。
【発明の効果】
【００１４】
本発明によれば、二次貯留部から収納部へのカード状媒体の搬送速度を媒体投入口から一次貯留部へのカード状媒体の搬送速度以上としたので、二次貯留部に集積されているカード状媒体が、一次貯留部に集積されるカード状媒体の枚数程度の枚数であれば、一次貯留部にカード状媒体が集積し終わるまでには二次貯留部に集積されているカード状媒体はすべて収納部へ搬送され、次の取引を遅らせることはない。
【００１５】
また、媒体投入口のカード状媒体がすべて一次貯留部へ搬送されてもまだ二次貯留部のカード状媒体を収納部へ搬送し終わらない場合、二次貯留部から収納部へのカード状媒体の搬送を一旦停止し、一次貯留部から二次貯留部へカード状媒体を移送し、その後二次貯留部から収納部へカード状媒体を搬送するようにしたことにより、前の取引でのカード状媒体の枚数が次の取引でのカード状媒体の枚数より多い場合でも、最小限の待ち時間で次の取引に移行することができる。
【００１６】
また、媒体投入口のカード状媒体がすべて一次貯留部へ搬送された時点で、一次貯留部に集積されたカード状媒体の枚数と前記時点で二次貯留部に集積されているカード状媒体の枚数との合計が、二次貯留部の集積限度枚数を超える場合は、二次貯留部から収納部へカード状媒体を搬送し、一次貯留部に集積されたカード状媒体の枚数と二次貯留部に現在集積されているカード状媒体の枚数との合計が、二次貯留部の集積限度枚数以下になった後、二次貯留部から収納部へのカード状媒体の搬送を一旦停止し、一次貯留部から二次貯留部へカード状媒体を移送するようにしたので、一次貯留部にカード状媒体を集積し終わった時点で一次貯留部のカード状媒体を二次貯留部へ移送すると二次貯留部が満杯になる場合でも、最小限の待ち時間で次の取引に移行することができる。
【００１７】
また、二次貯留部から収納部への搬送経路を２経路にしたことにより、二次貯留部から収納部へのカード状媒体の搬送を短時間で行えるので、前の取引でのカード状媒体の枚数が次の取引でのカード状媒体の枚数より多い場合でも、速やかに次の取引に移行することができる。
【発明を実施するための最良の形態】
【００１８】
以下、本発明の実施の形態を図面にしたがって説明する。各図面に共通する要素には同一の符号を付す。図１は本発明の実施の形態のカード状景品取扱装置を示す構成図、図２はカード状景品取扱装置を示す外観図である。本実施の形態ではカード状媒体取扱装置としてカード状景品取扱装置で説明する。図２において、カード状景品取扱装置１は、カード状景品Ｐが投入されると、カード状景品Ｐと交換に交換品（景品価値相当の現金）が払い出される装置で、利用者が操作する操作部２、カード状景品Ｐが投入される景品投入口３、交換品が払い出される交換品払出口４、不正なものであったり、書込み情報が読取れないカード状景品Ｐが排出される返却口５、利用者の画像を取得するためのカメラ部６および利用者の接近を検出するための近接センサ２７を具備している。
【００１９】
図１において、景品投入口３は複数のカード状景品Ｐが一度の投入可能なスペースを有している。景品投入口３にはシャッタ３ａが開閉可能に設けられ、非取引時は閉じられている。景品投入口３の下方には返却口５が形成されている。返却口５にも開閉可能なシャッタ５ａが設けられている。
【００２０】
景品投入口３から装置１の奥側へ向けて水平方向に第１搬送路７が形成されている。第１搬送路７は複数の搬送ローラ対で構成され、第１搬送路７上には読取部８が設けられ、その奥側には一次貯留部９が形成されている。読取部８は、カード状景品Ｐの搬送中にカード状景品Ｐに書込まれている景品価値情報を読取る。一次貯留部９は、複数のカード状景品Ｐを集積可能で、その下部にはカード状景品Ｐを一括して二次貯留部１１に移送するための移送手段１０が設けられている。二次貯留部１１も複数のカード状景品Ｐが集積可能で、集積されたカード状景品Ｐは最下部のものから１枚ずつ第２搬送路１３へ繰出し可能になっている。なお返却口５は第１搬送路７に接続されている。
【００２１】
第２搬送路１３は、装置１の奥側から手前側に向けて傾斜した状態に形成され、複数のローラ対により構成されている。第２搬送路１３上にはリジェクト部１２および読取部１４が設けられている。リジェクト部１２は読取部１４による読み出し不良のカード状景品や偽造や変造などが検出されたカード状景品が取込まれる。そのために第２搬送路１３に沿って切替えブレード１２ａが回転可能に設けられている。読取部１４は、カード状景品Ｐを収納する際に種類別に別けるために識別情報（景品価値情報）を読取る。
【００２２】
第２搬送路１３の終端部には回動アーム１６が回動可能に設けられ、ここまで搬送されてきたカード状景品Ｐの上面を叩くことにより、カード状景品Ｐを第３搬送路１７へ導く。第３搬送路１７は装置１の手前側から奥側へ向けて水平方向に形成され、複数のローラ対により構成される。第３搬送路１７の下部には複数のスタッカ１５ａ乃至１５ｅが設けられている。第３搬送路１７には各スタッカ１５ａ乃至１５ｅの位置に対応して、カード状景品Ｐを送り込むためのゲート機構が設けられている。
【００２３】
スタッカ１５ａ乃至１５ｅはカード状景品Ｐを種類ごとに収納するもので、本実施の形態では最大５種類のカード状景品Ｐが使用可能で、最大５種類のカード状景品Ｐをそれぞれ収納する。スタッカ１５ａ乃至１５ｅの内部には、バックアッププレート１８が上下動可能に設けられており、このバックアッププレート１８上にカード状景品Ｐが集積される。バックアッププレート１８はモータ１９により駆動される。
【００２４】
図３はカード取扱装置の制御系ブロック図である。図３において、制御部２０はカード取扱装置の全体の動作を制御するもので、制御部２０には、利用者への案内等の表示をするとともに利用者が操作するための上述の操作部２、カード状景品Ｐを交換したときに発行するレシートを印刷する印刷部２３、カード状景品Ｐの搬送制御、シャッタ３ａ、５ａの開閉制御、カード状景品Ｐを景品価値情報の種類に応じて分類して各スタッカ１５ａ〜１５ｅに集積処理する景品処理部２４が設けられている。景品処理部２４には、上述した読取部８、１４が接続されている。
【００２５】
また制御部２０には、交換品としての現金が集積されており、現金を出金処理する現金処理ユニット２５、上述したカメラ部６、利用者の装置への接近を検出する近接センサ２７、景品投入口３や返却口５におけるシャッタ３ａの開閉を検出するシャッタ開閉センサ２８および各スタッカ１５ａ〜１５ｅの装着有無を検出するユニットスイッチ２９が接続されている。
【００２６】
図４は景品処理部の制御ブロック図である。図４において、景品処理部２４には、第１搬送路７、第２搬送路１３および第３搬送路１７におけるそれぞれの搬送ローラ対を駆動しカード状景品Ｐの搬送速度を制御する搬送駆動制御部３１、一次貯留部９の下部に設けられる移送手段１０を駆動する移送手段駆動部３２、第２搬送路１３に沿って設けられる切替えブレード１２ａを駆動するブレード駆動部３３、および第２搬送路１３の端部に設けられる回動アーム１６を駆動する回動アーム駆動部３５が具備されている。
【００２７】
次に本実施の形態の動作を説明する。カード状景品取扱装置１は投入されたカード状景品Ｐの種類と枚数に応じて現金を払い出すものであるが、ここでは主に利用者が持参し、装置に投入されたカード状景品Ｐを収納するまでの動作を説明する。
【００２８】
利用者が装置１に接近すると、装置１の前方に配置された近接センサ２７により接近が検出され、操作部２の画面にカード状景品投入の案内が表示される。同時にシャッタ開閉制御部３４の制御により、景品投入口３のシャッタ３ａが開けられる。また近接センサ２７による接近検出により、カメラ部６の動作を開始し、利用者の顔部の撮影画像を操作部２の画面に表示する。
【００２９】
利用者が案内表示に従って、持参したカード状景品Ｐを景品投入口３に投入する。カード状景品Ｐが複数枚の場合でも一度に投入される。景品投入口３には例えば５０枚投入可能である。カード状景品Ｐが投入されたことが図示しないセンサにより検出されると、操作部２に交換の意志確認の画面が表示され、利用者が交換を指定すると、シャッタ３ａを閉じるとともに、制御部２０は投入されたカード状景品Ｐの搬送を開始する。景品投入口３に積層されたカード状景品Ｐは下側から１枚ずつ第１搬送路７に繰出されて、読取部８方向へ搬送される。第１搬送路７におけるカードＰの搬送速度は搬送駆動制御部３１により決定される。
【００３０】
カード状景品Ｐが第１搬送路７を搬送されて読取部８まで来ると、読取部８によりカード状景品Ｐ内の図示しないＩＣ内に保持された情報が読取られる。カード状景品Ｐには保持情報として景品価値情報や取扱地域の情報などが記録されており、ここでは景品価値情報が読取られる。読取部８を通過したカード状景品Ｐは一次貯留部９へ１枚ずつ集積される。一次貯留部９に集積可能なカード状景品Ｐの枚数は予め決められており、本実施の形態では景品投入口３と同数の５０枚に設定されている。なお、読取部８で情報が読取れなかったカード状景品Ｐまたは読取った情報が不適正であったカード状景品Ｐは、返却搬送路７ａから返却口５へ返却される。
【００３１】
制御部２０は、読取部８で読取った金額情報を景品処理部２４を介して受信し、景品価値の金額を集計し、操作部２に表示して、利用者に確認を促す。表示される情報は、全カード状景品Ｐの価値情報の積算値、即ち、交換金額や、種類別のカード状景品Ｐの枚数および「交換」ボタン４１、「返却」ボタン４２である。表示例を図５に示す。利用者は自分の意図した通りの金額が表示されていれば、「交換」ボタン４１を押下し、交換処理を促す。表示内容が自分の意図した通りでない場合は、「返却」ボタン４２を押下する。
【００３２】
「返却」ボタン４２が押下された場合、制御部２０は、景品処理部２４を介して第１搬送路７を先程とは逆の方向に駆動し、一次貯留部９に集積してあるカード状景品Ｐを１枚ずつ逆方向に搬送し、返却口５へ送る。これにより投入されたカード状景品Ｐは全て返却される。
【００３３】
「交換」ボタン４１が押下されると、移送手段駆動部３２により移送手段１０が駆動され、一次貯留部９に集積してある全てのカード状景品Ｐが一括して二次貯留部１１に移送される。また制御部２０は現金処理ユニット２５を駆動して、利用者により確認された金額に相当する現金が利用者に対して払出部４から払い出される。
【００３４】
二次貯留部１１も複数のカード状景品Ｐを集積可能で、例えば５０枚集積可能になっている。二次貯留部１１は第２搬送路１３に接続し、搬送駆動制御部３１により第２搬送路１３が駆動されると、二次貯留部１１内のカード状景品Ｐが最下部のものから１枚ずつ搬送される。搬送途中において、読取部１４により保持情報が読み出され、適正に情報が読み出されればそのカード状景品Ｐはそのまま搬送される。このとき第２搬送路１３でのカード搬送速度は第１搬送路７の搬送速度と同じに設定されている。
【００３５】
読取部１４で情報が読取れなかったカード状景品Ｐまたは読取った情報が不適正であったカード状景品Ｐは、搬送を一旦停止し、ブレード駆動部３３により切替えブレード１２ａを回動させる。そして、情報が読取れなかったカード状景品Ｐまたは読取った情報が不適正であったカード状景品Ｐを逆方向に搬送してリジェクト部１２へ格納する。この動作が終了すると、再び第２搬送路１３を順方向に駆動し、二次貯留部１１から１枚ずつ残りのカード状景品Ｐを搬送する。
【００３６】
第２搬送路１３を搬送されたカード状景品Ｐは、第２搬送路１３の終端部まで来ると、回動アーム駆動部３６により回動アーム１６が駆動され、カード状景品Ｐが第２搬送路１３から第３搬送路１７へ入るように向きを変えられる。このとき第３搬送路１７も駆動されており、カード状景品Ｐは第３搬送路１７をスタッカ１５方向へ搬送される。各スタッカ１５ａ〜１５ｅの上部にはそれぞれゲート機構が設けられており、カード状景品Ｐが読取部１４で読取られた種類毎に該当するスタッカ１５ａ〜１５ｅに収納される。
【００３７】
一次貯留部９に集積されているカード状景品Ｐを二次貯留部１１へ移送することにより、一次貯留部９に新たなカード状景品Ｐを集積可能になるので、次の取引を開始することが可能となる。したがって制御部２０は、交換品としての現金の払出が終了し、一次貯留部９のカード状景品Ｐが二次貯留部１１へ移送された時点で、次の取引を開始させる。そして次の利用者が操作部２のガイダンスに従って景品投入口３にカード状景品Ｐを投入すると、上述したようにカード状景品Ｐは１枚ずつ第１搬送路７を搬送されて一次貯留部９へ集積される。
【００３８】
次の取引が即座に開始された場合、前の取引のカード状景品Ｐが第２搬送路１３および第３搬送路１７を搬送されている間に、次の取引のカード状景品Ｐが第１搬送路７を搬送されることになる。このとき、次の取引のカード状景品Ｐがすべて一次貯留部９に集積し終わる前に、二次貯留部１１内のカード状景品Ｐがすべて二次貯留部１１から繰出されていることが望ましい。
【００３９】
本実施の形態では、第２搬送路１３および第３搬送路１７の搬送速度を第１搬送路７の搬送速度と同じに設定しているので、景品投入口３に投入されたカード状景品Ｐを搬送開始する時点で、景品投入口３内のカード状景品Ｐの枚数が、二次貯留部１１内のカード状景品Ｐの枚数に対して多いか、あるいはほぼ同数の場合には、景品投入口３内のカード状景品Ｐの枚数がすべて一次貯留部９に集積する間に、二次貯留部１１内のカード状景品Ｐはすべて二次貯留部１１から繰出される。したがって、一次貯留部９内のカード状景品Ｐを二次貯留部１１へ移送した直後に次の取引を開始した場合でも、前の取引におけるカード状景品Ｐの収納終了を待たずに、次の取引を実行することが可能になる。
【００４０】
本実施の形態では、現金の払出が終了し、前の取引における一次貯留部９内のカード状景品Ｐが一括して二次貯留部１１へ移送された時点で、次の取引を開始させる。このようにすると、前の取引におけるカード状景品Ｐの枚数が多く、従って二次貯留部１１内のカード状景品の枚数が多く、かつ景品投入口３に投入された次の取引のカード状景品の枚数が少ない場合、例えば、二次貯留部１１内のカード状景品の枚数が４０枚で、次の取引のカード状景品の枚数が１０枚の場合は、二次貯留部１１内のカード状景品Ｐが繰り出し終わらないうちに、次の取引のカード状景品Ｐが一次貯留部９に集積を完了する。
【００４１】
この場合について第１実施例として説明する。図６は第１実施例の動作を示すフローチャートである。景品投入口３に次の取引のカード状景品Ｐが投入されると、投入されたカード状景品Ｐが一次貯留部９に搬送される（ステップ１）。すべてのカード状景品Ｐが一次貯留部９に集積されると（ステップ２）、利用者により「交換」ボタン４１が押下された時点で、制御部２０は、二次貯留部１１における前の取引のカード状景品Ｐの繰出しを停止する（ステップ３）。次に制御部２０は、移送手段駆動部３２により移送手段１０を駆動し、一次貯留部９内のカード状景品Ｐを二次貯留部１１に移送する（ステップ４）。これにより二次貯留部１１内には前の取引のカード状景品Ｐと次の取引のカード状景品Ｐが一緒に集積される。その後制御部２０は二次貯留部１１からのカード状景品Ｐの繰出しを再開し（ステップ５）、第２搬送路１３を駆動してカード状景品Ｐをスタッカ１５へ収納する。
【００４２】
上記第１実施例に対して次のような変形例が可能である。この変形例について図７のフローチャートにより説明する。図７において、ステップ２の後に、二次貯留部１１における前の取引のカード状景品Ｐの残枚数を確認し（ステップ６）、この残枚数が一定値以上の場合に上記ステップ３以降の処理を行う。二次貯留部１１における前の取引のカード状景品Ｐの残枚数が一定値より少ない場合は、そのまま二次貯留部１１からのカード状景品Ｐの繰出しを続行する（ステップ７）。そして二次貯留部１１内の全てのカード状景品Ｐが第２搬送路１３に繰出されると（ステップ８）、ステップ４へ移行し、一次貯留部９内のカード状景品Ｐを二次貯留部１１に移送する。二次貯留部１１内のカード状景品Ｐの残枚数によってはそのまま繰出しを続行した方が早い場合（残枚数が少ない場合）があり、こうした場合に対応して処理を効率化することができる。
【００４３】
このように第１実施例では、前の取引におけるカード状景品Ｐの枚数が多く、即ち二次貯留部内のカード状景品Ｐの枚数が多く、かつ景品投入口３に投入された次の取引のカード状景品の枚数が少ない場合でも、一次貯留部９内のカード状景品Ｐを速やかに二次貯留部１１へ移送できるので、次の次の取引を連続して実行することが可能になる。
【００４４】
この場合に、例えば前の取引のカード状景品Ｐの枚数が多く、次の取引のカード状景品Ｐの枚数が多い場合、例えば、前の取引のカード状景品Ｐの枚数が５０枚で、次の取引のカード状景品Ｐの枚数が３０枚の場合、次の取引の３０枚のカード状景品Ｐがすべて一次貯留部９に集積し終わった時点で、一次貯留部９のカード状景品の枚数と二次貯留部１１にまだ残っているカード状景品Ｐの枚数との合計が、二次貯留部１１の集積可能枚数を超える場合がある。したがってこの時点では、すぐに一次貯留部９内のカード状景品Ｐを二次貯留部１１へ移送させることはできない。
【００４５】
この場合について第２実施例として説明する。図８は第２実施例の動作を示すフローチャートである。制御部２０は、次の取引のカード状景品Ｐが一次貯留部９へ搬送され（ステップ１１）、すべて一次貯留部９に集積し終わった時点で（ステップ１２）、二次貯留部１１内の現在のカード状景品Ｐの枚数と一次貯留部９内のカード状景品Ｐの枚数との合計を算出し（ステップ１３）、算出した合計枚数が二次貯留部１１の集積可能枚数を超えるかどうか判定し（ステップ１４）、超えると判定した場合は（ステップ１４のＮ）、二次貯留部１１からカード状景品Ｐの繰出しを続行し（ステップ１５）、二次貯留部１１内の現在のカード状景品Ｐの枚数と一次貯留部９内のカード状景品Ｐの枚数との合計が二次貯留部１１の集積可能枚数以内になるまで、二次貯留部１１内のカード状景品の枚数を減らす。
【００４６】
合計枚数が二次貯留部１１の集積可能枚数以内になると（ステップ１４のＹ）、制御部２０は、二次貯留部１１における前の取引のカード状景品Ｐの繰出しを停止し（ステップ１６）、移送手段駆動部３２により移送手段１０を駆動して、一次貯留部９内のカード状景品Ｐを二次貯留部１１に移送する（ステップ１７）。これにより二次貯留部１１内には前の取引のカード状景品Ｐと次の取引のカード状景品Ｐが一緒に集積される。その後制御部２０は二次貯留部１１からのカード状景品Ｐの繰出しを再開し（ステップ１８）、第２搬送路１３を駆動してカード状景品Ｐをスタッカ１５へ収納する。
【００４７】
このように、次の取引の３０枚のカード状景品Ｐがすべて一次貯留部９に集積し終わった時点で、一次貯留部９のカード状景品の枚数と二次貯留部１１にまだ残っているカード状景品Ｐの枚数との合計が、二次貯留部１１の集積可能枚数を超える場合でも、最小限の待ち時間で次の次の取引を連続して実行することが可能になる。
【００４８】
以上のように第２実施例は次の次の取引を最小限の待ち時間で連続して実行可能にするものであるが、取引が連続して発生しない場合がある。待っている利用者がいない場合には二次貯留部１１のカード状景品Ｐを全て収納してから一次貯留部９のカード状景品Ｐを二次貯留部１１に移送することが望ましい。この場合の動作を第３実施例として図９にしたがって説明する。図９は第３実施例の動作を示すフローチャートである。
【００４９】
図９において、ステップ２１からステップ２４までは第２実施例のステップ１１からステップ１４までと同様である。ステップ２４において、二次貯留部１１内の現在のカード状景品Ｐの枚数と一次貯留部９内のカード状景品Ｐの枚数との合計枚数が二次貯留部１１の集積可能枚数以内になると、制御部２０は、二次貯留部１１における前の取引のカード状景品Ｐの繰出しを停止し（ステップ２５）、移送手段駆動部３２により移送手段１０を駆動して、一次貯留部９内のカード状景品Ｐを二次貯留部１１に移送する（ステップ２６）。これにより二次貯留部１１内には前の取引のカード状景品Ｐと次の取引のカード状景品Ｐが一緒に集積される。その後制御部２０は二次貯留部１１からのカード状景品Ｐの繰出しを再開し（ステップ２７）、第２搬送路１３を駆動してカード状景品Ｐをスタッカ１５へ収納する。
【００５０】
ステップ２４において、二次貯留部１１内の現在のカード状景品Ｐの枚数と一次貯留部９内のカード状景品Ｐの枚数との合計枚数が二次貯留部１１の集積可能枚数より多い場合は、制御部２０は、近接センサ２７により次の利用者がいるかどうか検出する（ステップ２８）。近接センサ２７により次の利用者が検出された場合（ステップ２８のＹ）、二次貯留部１１からカード状景品Ｐの繰出しを続行し（ステップ２９）、二次貯留部１１内の現在のカード状景品Ｐの枚数と一次貯留部９内のカード状景品Ｐの枚数との合計が二次貯留部１１の集積可能枚数以内になるまで、二次貯留部１１内のカード状景品の枚数を減らす。
【００５１】
ステップ２８で次の利用者がいないと判断された場合、制御部２０は、二次貯留部１１からカード状景品Ｐの繰出しを続行し（ステップ３０）、二次貯留部１１内の全てのカード状景品を収納する（ステップ３１）。これにより二次貯留部１１が空になり、次に制御部２０は、移送手段駆動部３２により移送手段１０を駆動して、一次貯留部９内のカード状景品Ｐを二次貯留部１１に移送する（ステップ３２）。次に制御部２０は二次貯留部１１に移送されたカード状景品Ｐを二次貯留部１１から繰出し（ステップ２７）、第２搬送路１３を駆動してスタッカ１５へ収納する。
【００５２】
以上のように第３実施例によれば、一次貯留部９内のカード状景品Ｐをすぐに二次貯留部１１へ移送できない場合に、装置１の前で次の利用者が待っているか否かを検出し、待っていない場合には二次貯留部１１を空にしてから一次貯留部９内のカード状景品Ｐを二次貯留部１１へ移送するようにしたので、二次貯留部１１からのカード状景品Ｐの繰出しを中断させることなく、取引毎の収納処理を行うことができる。
【００５３】
なお第３実施例では、二次貯留部１１内の現在のカード状景品Ｐの枚数と一次貯留部９内のカード状景品Ｐの枚数との合計枚数が二次貯留部１１の集積可能枚数より多い場合に待機利用者の有無を検出しているが、これに限らず、上記合計枚数が二次貯留部１１の集積可能枚数より少ない場合であっても、一次貯留部９へのカード状景品Ｐの集積が二次貯留部１１からのカード状景品Ｐの繰出しより早く終わった場合に待機利用者の有無を検出し、利用者がいない場合には、二次貯留部１１を空にしてから一次貯留部９のカード状景品Ｐを二次貯留部１１へ移送するようにしてもよい。
【００５４】
次に本発明の他の実施の形態を説明する。図１０は他の実施の形態の要部を示す概略構成図である。図１０において、他の実施の形態のカード状景品取扱装置５１には、景品投入口３、読取部８、一次貯留部９が前記実施の形態の装置１と同様に設けられている。一次貯留部９には２つの二次貯留部５２ａ、５２ｂが移送路５３ａ、５３ｂによりそれぞれ接続されている。移送路５３ａ、５３ｂは、一次貯留部９に集積されたカード状景品Ｐを図示しない移送手段により一括して二次貯留部５２ａ、５２ｂに移送できる構成となっている。
【００５５】
二次貯留部５２ａ、５２ｂにはそれぞれ第２搬送路５４ａ、５４ｂが接続され、第２搬送路５４ａ、５４ｂはそれぞれスタッカ部５５ａ、５５ｂに接続されている。スタッカ部５５ａとスタッカ部５５ｂは同様に構成であり、カード状景品Ｐの種類毎に複数のスタッカが設けられている。
【００５６】
他の実施の形態においては、利用者が持参したカード状景品Ｐを景品投入口３に投入すると、第１搬送路７を読取部８方向へ搬送されて、読取部８によりカード状景品Ｐの保持情報が読取られ、更に搬送一次貯留部９へ１枚ずつ集積される。読取部８で読取られた金額情報が操作部２に表示され、利用者により「交換」ボタン４１が押下されると、図示しない移送手段により、一次貯留部９に集積してある全てのカード状景品Ｐが一括して二次貯留部５２ａまたは５２ｂに移送される。
【００５７】
前回の取引のカード状景品Ｐが二次貯留部５２ａに移送されていれば、今回の取引のカード状景品Ｐは二次貯留部５２ｂに移送され、次回の取引のカード状景品Ｐは二次貯留部５２へ移送する、というように、二次貯留部５２ａおよび５２ｂに対して交互にカード状景品Ｐが移送される。
【００５８】
二次貯留部５２ａに移送されたカード状景品Ｐは、第２搬送路５４ａによりスタッカ部５５ａへ搬送され、スタッカ部５５ａに収納される。なおこの実施の形態でも、第２搬送路５４ａ、５４ｂでのカード搬送速度は第１搬送路７の搬送速度と同じに設定されている。
【００５９】
一次貯留部９に集積されているカード状景品Ｐを二次貯留部５２ａおよび５２ｂへ移送することにより、一次貯留部９に新たなカード状景品Ｐを集積可能になるので、次の取引を開始することが可能となる。交換品の払出が終了し、一次貯留部９のカード状景品Ｐが二次貯留部１１へ移送された時点で、次の取引を開始させ、次の利用者が操作部２のガイダンスに従って景品投入口３にカード状景品Ｐを投入すると、上述したようにカード状景品Ｐは１枚ずつ第１搬送路７を搬送されて一次貯留部９へ集積される。
【００６０】
次の取引が即座に開始された場合、前の取引のカード状景品Ｐがまだ二次貯留部５２ａに残っている場合がある。しかしながら、このときには他の二次貯留部５２ｂが空の状態になっており、一次貯留部９に集積された次の取引のカード状景品Ｐはもう１つの二次貯留部５２ｂに移送される。したがって一次貯留部９に次のカード状景品Ｐが集積され終わった時点で一方の二次貯留部５２ａにカード状景品Ｐが残っていても、他方の二次貯留部５２ｂにカード状景品Ｐを移送させることにより、一次貯留部９を速やかに空にすることができ、利用者を待たせることなく次の取引に移ることが可能である。
【００６１】
上記各実施の形態ではカード状媒体取扱装置としてカード状景品取扱装置としての景品交換機を例にして説明したが、本発明はこれに限定されるものではなく、複数のカード状媒体を一次貯留した後収納する他の装置にも適用可能である。
【図面の簡単な説明】
【００６２】
【図１】本発明の実施の形態のカード状景品取扱装置を示す構成図である。
【図２】カード状景品取扱装置を示す外観図である。
【図３】カード状景品取扱装置の制御系ブロック図である。
【図４】景品処理部の制御ブロック図である。
【図５】画面の表示例を示す説明図である。
【図６】第１実施例の動作を示すフローチャートである。
【図７】第１実施例の変形例の動作を示すフローチャートである。
【図８】第２実施例の動作を示すフローチャートである。
【図９】第３実施例の動作を示すフローチャートである。
【図１０】他の実施の形態の要部を示す概略構成図である。
【符号の説明】
【００６３】
１  カード状景品取扱装置
３  景品投入口
７  第１搬送路
８  読取部
９  一次貯留部
１０  移送手段
１１  二次貯留部
１３  読取部
１５  スタッカ
２０  制御部
２７  近接センサ
【図１】
2006209299.tif 000003
【図２】
2006209299.tif 000004
【図３】
2006209299.tif 000005
【図４】
2006209299.tif 000006
【図５】
2006209299.tif 000007
【図６】
2006209299.tif 000008
【図７】
2006209299.tif 000009
【図８】
2006209299.tif 000010
【図９】
2006209299.tif 000011
【図１０】
2006209299.tif 000012